(57)【要約】      （修正有）【課題】視界性を犠牲にすることなく、良好な視界性を保持したままで新しい付加価値を有したシールド等の透視部材を提供する。【解決手段】透視部材１は、面状で且つ所定形状に形成され、しかも透視性を有する基材１ａの一面側１ｂ又は他面側１ｃの少なくとも何れか一方面の一部若しくは全部には、脱脂処理を介して透視性を有する有色層３と該有色層と重合することなく、有色層３の一部を離間状態で基材の形状、起伏面及び湾曲面等に沿って該基材に所定の文字、図柄等の模様を形成する模様層４とが形成されてなることを特徴とする。【選択図】図１
0003194219.tif 000002
【実用新案登録請求の範囲】
【請求項１】
面状で且つ所定形状に形成され、しかも透視性を有する基材（１ａ）の一面側（１ｂ）又は他面側（１ｃ）の少なくとも何れか一方面の一部若しくは全部には、脱脂処理を介して透視性を有する有色層（３）と該有色層（３）と重合することなく、有色層（３）の一部を離間状態で基材（１ａ）の形状、起伏面及び湾曲面等に沿って該基材（１ａ）に所定の文字、図柄等の模様を形成する模様層（４）とが形成されてなることを特徴とする透視部材。
【請求項２】
前記有色層（３）又は模様層（４）の少なくとも何れか一方が蒸着処理を介して基材（１ａ）に設けられてなることを特徴とする請求項１記載の透視部材。
【請求項３】
前記有色層（３）と模様層（４）の双方の表面には、脱脂処理が施されてなることを特徴とする請求項１又は２記載の透視部材。
【請求項４】
前記透視部材若しくは有色層（３）又は模様層（３）の少なくとも何れか一方には紫外線調光変色剤を用いての処理が施されるか又は紫外線調光変色層が設けられてなることを特徴とする請求項１乃至３の何れかに記載の透視部材。
【請求項５】
前記透視部材若しくは有色層（３）又は模様層（３）の少なくとも何れか一方には撥水剤又は防曇剤を用いての処理が施されるか若しくは撥水層（５）又は防曇層（６）が設けられてなることを特徴とする請求項１乃至４の何れかに記載の透視部材。
【考案の詳細な説明】
【技術分野】
【０００１】  本考案は、十分な視界を確保すると共に、主に目等人体を防護する目的等で各種競技等に用いられる透視部材に関し、更に詳しくは、例えば、二輪や四輪の各種レースや競技に使用されるヘルメットシールド、バイザー、カウルスクリーン、ウインドウ等良好な視界性を伴う透視部材に関するものである。
【背景技術】
【０００２】  例えば、一般道や高速道路を走行する際に着用する一般消費者等のヘルメットのみならず、二輪や四輪の各種レースや競技等に使用されるヘルメットには、走行中の風圧、雨水、虫、粉塵、埃等から目等の防護をはかる目的で各種形状のシールドが用いられている。【０００３】  尚、上記シールドに関しては、近年、日光の眩しさから目を保護する目的のみならずファッション性をもたせて消費者等の購買意欲等を更に向上させる目的から、例えば、シールドに紫外線変更材を用いたシールを貼り付けるもの（実用新案登録第３０２２４５７号）やシールドにフォトクロミック化合物と紫外線吸収剤を含有する被膜層を形成するもの（実用新案登録第３０２９９０８号）が存在する。【０００４】  上記前者及び後者のシールドは何れも走行中の風圧、雨水、虫、粉塵、埃等から目等の防護をはかると共に、良好な視界性を確保しつつ日光の眩しさから目を保護すべく浴びる紫外線量に応じて調光変色する機能を備えたものである。
【実用新案登録文献１】
実用新案登録第３０２２４５７号
【実用新案登録文献２】
実用新案登録第３０２９９０８号
【考案の開示】
【考案が解決しようとする課題】
【０００５】  しかしながら、上記の如く浴びる紫外線量に応じて調光変色する機能を備えたシールドであっても、消費者等の購買意欲等を更に向上させるためには全く新しい付加価値が必要ではあるが、如何せん、シールドという透視部材に関しては、良好な視界性を犠牲にすることは許されず、よって良好な視界性を保持したままで新しい付加価値を有したシールドの開発が急務であるという問題が生じていた．
【課題を解決するための手段】
【０００６】  即ち、本考案は、上記課題を解決するために、以下の手段を講じたものである。【０００７】  本考案における請求項１記載の透視部材は、面状で且つ所定形状に形成され、しかも透視性を有する基材（１ａ）の一面側（１ｂ）又は他面側（１ｃ）の少なくとも何れか一方面の一部若しくは全部には、脱脂処理を介して透視性を有する有色層（３）と該有色層（３）と重合することなく、有色層（３）の一部を離間状態で基材の形状、起伏面及び湾曲面等に沿って該基材（１ａ）に所定の文字、図柄等の模様を形成する模様層（４）とが形成されてなることを特徴とする。【０００８】  更に、請求項２記載の透視部材によれば、有色層（３）又は模様層（４）の少なくとも何れか一方が、蒸着処理を介して基材（１ａ）に設けられてなることを特徴とする。【０００９】  更に、請求項３記載の透視部材によれば、有色層（３）と模様層（４）の双方の表面に、脱脂処理が施されてなることを特徴とする。【００１０】  又、請求項４記載の透視部材によれば、該透視部材若しくは有色層（３）又は模様層（３）の少なくとも何れか一方には紫外線調光変色剤を用いての処理が施されるか又は紫外線調光変色層が設けられてなることを特徴とする。【００１１】  更に、請求項５記載の透視部材によれば、該透視部材若しくは有色層（３）又は模様層（３）の少なくとも何れか一方には撥水剤又は防曇剤を用いての処理が施されるか若しくは撥水層（５）又は防曇層（６）が設けられてなることを特徴とする。
【考案の効果】
【００１２】  本考案における透視部材１は、面状で且つ所定形状に形成され、しかも透視性を有する基材１ａの一面側１ｂ又は他面側１ｃの少なくとも何れか一方面の一部若しくは全部には、脱脂処理を介して透視性を有する有色層３と該有色層３と重合することなく、有色層３の一部を離間状態で基材１ａの形状、起伏面及び湾曲面等に沿って該基材１ａに所定の文字、図柄等の模様を形成する模様層４とが形成されたものである。【００１３】  よって、透視性を有する有色層３と重合することなく、有色層３の一部を離間状態で基材１ａの形状、起伏面及び湾曲面等に沿って該基材１ａに所定の文字、図柄等の模様を形成する模様層４を良好な視界を確保しつつ消費者が希望する個人名、デザイン等に任意に表現する場所として利用することでシールドという商品の付加価値を向上させて消費者等の購買意欲等を更に向上させることが可能になるという新しい効果を有するのみならず、例えば、二輪や四輪の各種レースや競技に使用されるヘルメットシールド、バイザー、カウルスクリーン、ウインドウ等良好な視界性を伴う透視部材１の模様層４をスポンサー名、チーム名、ライダー名、ゼッケン番号のみならず開催会場名、競技名等の各種表現の場所として利用することで全く新しい情報発信媒体として利用することもできるという顕著な効果を奏する。【００１４】  更に、透視部材１に設けられる有色層３又は模様層４の少なくとも何れか一方が蒸着処理を介して基材１ａに設けられることから、表面硬度を高めつつ製造原価を抑えた低コストの透視部材１を製造することができるという効果を奏する。【００１５】  更に、透視部材１に設けられる有色層３と模様層４の双方の表面には、脱脂処理が施されてなることから、模様層４の表現処理工程時において有色層３と模様層４に付着した汚れや作業者の指紋等を梱包前に完全除去することができるという効果を奏する。【００１６】  又、透視部材１若しくは有色層３又は模様層３の少なくとも何れか一方には紫外線調光変色剤を用いての処理が施されるか又は紫外線調光変色層が設けられてなることから、各種デザイン等の表現場所や新しい情報発信場所に用いられる透視部材１に良好な視界性を確保させたままで日光の眩しさから目を保護すべく浴びる紫外線量に応じて調光変色する機能を具備させることができるという効果を奏する。【００１７】  又、透視部材１若しくは有色層３又は模様層４の少なくとも何れか一方には撥水剤又は防曇剤を用いての処理が施されるか若しくは撥水層５又は防曇層６が設けられてなることから、各種デザイン等の表現場所や新しい情報発信場所に用いられる透視部材１を雨天や寒冷地等で使用した場合でも常に良好な視界性を透視部材１に保持させることができるという効果を奏する。
【図面の簡単な説明】
【００１８】
【図１】本考案の透視部材における一部拡大切欠き説明図。
【図２】本考案における脱脂処理面を有した透視部材の一部拡大切欠き説明図。
【図３】本考案における紫外線調光変色剤処理を施した透視部材の一部拡大切欠き説明図。
【図４】本考案における撥水層を有した透視部材の一部拡大切欠き説明図。
【図５】本考案における撥水層及び防曇層を有した透視部材の一部拡大切欠き説明図。
【図６】本考案における透視部材の他の実施形態を示す一部拡大切欠き説明図。
【考案を実施するための形態】
【００１９】  以下、本考案の透視部材の一実施形態を図面に従って説明する。
図１において、１はポリカーボネート、アクリル樹脂等の基材１ａから、例えば、透視性（良好な視界を確保）を有すべくフルフェイスヘルメット用に所定のが外観形状で成形（所定の厚みを有する面状）されたシールド状の透視部材を示し、基材１ａの一面側１ｂの全面（全部）には、脱脂処理が施された脱脂処理面２を介して単色又は複数の色が混在すると共に透視性を有する有色層３と該有色層３と重合することなく、有色層３の一部を離間状態で基材１ａの形状、起伏面及び湾曲面等に沿って該基材１ａに所定の文字、図柄等の模様を形成する単色又は複数の色が混在するか若しくは無色の模様層４とが蒸着により形成されている。
【００２０】  よって、透視性を有する有色層３と重合することなく、有色層３の一部を離間状態で基材１ａの形状、起伏面及び湾曲面等に沿って該基材１ａに所定の文字、図柄等の模様を形成する模様層４を良好な視界を確保しつつ消費者が希望する個人名、デザイン等に任意に表現する場所として利用することでシールドという商品の付加価値を向上させて消費者等の購買意欲等を更に向上させることが可能になるという新しい効果を有するのみならず、例えば、二輪や四輪の各種レースや競技に使用されるヘルメットシールド、バイザー、カウルスクリーン、ウィンドウ等良好な視界性を伴う透視部材１の模様層４をスポンサー名、チーム名、ライダー名、ゼッケン番号のみならず開催会場名、競技名等の各種表現の場所として利用することで全く新しい情報発信媒体として利用することもできるという利点を有する。
【００２１】  更に、前記有色層３及び模様層４が脱脂処理面２を介しての蒸着処理により基材１ａに設けられることから、表面硬度を高めつつ製造原価を抑えた低コストの透視部材１を製造することができるという利点がある。
【００２２】  次に、図２に示す様に、前記有色層３と模様層４の双方の表面に、再び脱脂処理を施しての脱脂処理面２ａを設けた場合には、有色層３と模様層４の処理工程時において有色層３と模様層４に付着した汚れや作業者の指紋等を梱包前に完全除去することができるという利点がある。
【００２３】  又、図３に示す様に、有色層３に紫外線調光変色剤を用いての処理が施された場合には、各種デザイン等の表現場所や新しい情報発信場所に用いられる透視部材１に良好な視界性を確保させたままで日光の眩しさから目を保護すべく浴びる紫外線量に応じて調光変色する機能を具備させることができるという利点がある。
【００２４】  又、図４に示す様に、有色層３及び模様層４の夫々に、撥水層５を設けた場合には、各種デザイン等の表現場所や新しい情報発信場所に用いられる透視部材１を雨天等で使用した場合でも常に良好な視界性を透視部材１に保持させることができるという利点がある。
【００２５】  更に、図５に示す様に、透視部材１の基材１ａの他面側１ｃ（使用時においてフルフェイス内の顔と対峙する側）に、防曇層６を設けた場合には、各種デザイン等の表現場所や新しい情報発信場所に用いられる透視部材１を寒冷地等で使用した場合でも常に良好な視界性を透視部材１に保持させることができるという利点がある。
【００２６】  尚、上記実施形態において、基材１ａの一面側１ｂの全面（全部）には、脱脂処理が施された脱脂処理面２を介して単色又は複数の色が混在すると共に透視性を有する有色層３と該有色層３と重合することなく、有色層３の一部を離間状態で基材１ａの形状、起伏面及び湾曲面等に沿って該基材１ａに所定の文字、図柄等の模様を形成する単色又は複数の色が混在するか若しくは無色の模様層４とが蒸着により形成されているが、例えば、図６に示す様に、有色層３の一部を離間状態にすることで所定の文字、図柄等の模様を形成した後、脱脂処理が施された脱脂処理面２ａを有していてもよい。
【００２７】  尚、上記実施形態において、有色層３又は模様層４の少なくとも何れか一方が蒸着により脱脂処理が施された脱脂処理面２を介して基材１ａの一面側１ｂに設けられているが、必ずしも蒸着である必要はなく、熱着、ＵＶ硬化固着、塗装であってもよく、又フィルム状に形成されていてもよく、有色層３及び模様層４の具体的な材料、固着手段も決して限定されないのはいうまでもない。
【００２８】  更に、上記実施形態において、透視部材１には、紫外線調光変色剤を用いての処理が施されたり、撥水層５又は防曇層６の少なくとも何れか一方が設けられている場合ついて述べたが、かかる紫外線調光変色剤、撥水層５又は防曇層６を夫々形成する具体的な成分、材料等も決して限定されないのは言うまでもなく、本考案の意図する範囲内で任意にその成分、材料等も変更自在である。
【００２９】  かかる実施形態に限らず、本考案における透視部材１の構成は、面状で且つ所定形状に形成され、しかも透視性を有する基材１ａの一面側１ｂ又は他面側１ｃの少なくとも何れか一方面の一部若しくは全部には、脱脂処理を介して透視性を有する有色層３と該有色層３と重合することなく、有色層３の一部を離間状態で基材１ａの形状、起伏面及び湾曲面等に沿って該基材１ａに所定の文字、図柄等の模様を形成する模様層４とが形成されたものである。
【００３０】  よって、透視性を有する有色層３と重合することなく、有色層３の一部を離間状態で基材１ａの形状、起伏面及び湾曲面等に沿って該基材１ａに所定の文字、図柄等の模様を形成する模様層４を良好な視界を確保しつつ消費者が希望する個人名、デザイン等に任意に表現する場所として利用することでシールドという商品の付加価値を向上させて消費者等の購買意欲等を更に向上させることが可能になるという新しい効果を有するのみならず、例えば、二輪や四輪の各種レースや競技に使用されるヘルメットシールド、バイザー、カウルスクリーン、ウインドウ等良好な視界性を伴う透視部材１の模様層４をスポンサー名、チーム名、ライダー名、ゼッケン番号のみならず開催会場名、競技名等の各種表現の場所として利用することで全く新しい情報発信媒体として利用することができるのである。
【００３１】  更に、本考案における透視部材１の構成は、有色層３又は模様層４の少なくとも何れか一方が蒸着処理を介して基材１ａに設けられることから、表面硬度を高めつつ製造原価を抑えた低コストの透視部材１を製造することができるのである。
【００３２】  更に、本考案における透視部材１の構成は、有色層３と模様層４の双方の表面に、脱脂処理が施されてなることから、模様層４の表現処理工程時において有色層３と模様層４に付着した汚れや作業者の指紋等を梱包前に完全除去することができるのである。
【００３３】  又、本考案における透視部材１の構成は、透視部材１若しくは有色層３又は模様層３の少なくとも何れか一方には紫外線調光変色剤を用いての処理が施されるか又は紫外線調光変色層が設けられてなることから、各種デザイン等の表現場所や新しい情報発信場所に用いられる透視部材１に良好な視界性を確保させたままで日光の眩しさから目を保護すべく浴びる紫外線量に応じて調光変色する機能を具備させることができるのである。
【００３４】  又、本考案における透視部材１の構成は、透視部材１若しくは有色層３又は模様層４の少なくとも何れか一方には撥水剤又は防曇剤を用いての処理が施されるか若しくは撥水層５又は防曇層６が設けられてなることから、各種デザイン等の表現場所や新しい情報発信場所に用いられる透視部材１を雨天や寒冷地等で使用した場合でも常に良好な視界性を透視部材１に保持させることができるのである。
【００３５】  上記実施形態において、透視部材は、フルフェイスヘルメット用のシールドとして説明したが、二輪や四輪の各種レースや競技に使用されるヘルメットシールド、バイザー、オートバイカウルスクリーン、車両ウインドウ等をはじめあらゆる分野に適用できるものであり、具体的な使用箇所、形状、材料、大きさ等も一切限定されないのは言うまでもない。
【産業上の利用可能性】
【００３６】  本考案における透視部材は、基材の形状、起伏面及び湾曲面等に沿って該基材に所定の文字、図柄等の模様を形成する模様層を良好な視界を確保しつつ消費者が希望する個人名、デザイン等に任意に表現する場所として利用することでシールドという商品の付加価値を向上させて消費者等の購買意欲等を更に向上させることが可能になるばかりか、例えば、二輪や四輪の各種レースや競技に使用されるヘルメットシールド、バイザー、カウルスクリーン、ウインドウ等良好な視界性を伴う透視部材１の模様層４をスポンサー名、チーム名、ライダー名、ゼッケン番号のみならず開催会場名、競技名等の各種表現の場所等の新しい情報発信媒体として好適なものである。
【符号の説明】
【００３７】１    …  透視部材
１ａ  …  基材
１ｂ  …  一面側
１ｃ  …  他面側
２    …  脱脂処理面
２ａ  …  脱脂処理面
３    …  有色層
４    …  模様層
５    …  撥水層
６    …  防曇層
【図１】
0003194219.tif 000003
【図２】
0003194219.tif 000004
【図３】
0003194219.tif 000005
【図４】
0003194219.tif 000006
【図５】
0003194219.tif 000007
【図６】
0003194219.tif 000008